(57)【特許請求の範囲】
【請求項１】
芯線の外周が絶縁被覆で包囲された電線の端部から露出した前記芯線に端子が接続された端子付き電線であって、
前記端子は、
前記芯線が溶接された平板状の溶接部と、
前記溶接部に連なると共に前記電線の前記絶縁被覆が載置された底板部と、
前記底板部の一方の側縁から、前記底板部に載置された前記電線が延びる方向と交差する方向に延びるかしめ片と、を備え、
前記かしめ片が前記電線の前記絶縁被覆の外周に巻き付くようにかしめられた状態で、前記かしめ片の先端縁が、前記電線の中心を通り前記底板部と垂直な第１仮想面よりも前記底板部の他方の側縁に近い側に位置し、前記底板部における前記かしめ片が設けられている側とは反対側の側縁に近接しており、
前記底板部の前記かしめ片が設けられている側と反対側の側縁には、前記底板部に載置された前記電線が延びる方向と交差する方向に延び、かつ前記かしめ片よりも短い補助片が設けられており、
前記電線が前記かしめ片にかしめられた状態で、前記かしめ片の端部と前記補助片の端部が重なり合っており、
前記溶接部の端面と前記補助片の端面とが平板状に展開された状態で面一となっている端子付き電線。
【請求項２】
前記かしめ片が前記電線の前記絶縁被覆の外周に巻き付くようにかしめられた状態で、前記かしめ片の先端縁が、前記電線の中心を通り前記底板部と平行になる第２仮想面よりも前記底板部側に位置し、前記底板部における前記かしめ片が設けられている側とは反対側の側縁に近接する請求項１に記載の端子付き電線。
【請求項３】
電線の芯線が溶接される平板状の溶接部と、
前記溶接部に連なると共に前記電線の絶縁被覆で包囲された部分が載置される底板部と、
前記底板部の一方の側縁から、前記底板部に載置された前記電線が延びる方向と交差する方向に延びるかしめ片と、を備え、
前記かしめ片が前記電線の外周に巻き付くようにかしめられた状態で、前記かしめ片の先端縁が、前記底板部における前記かしめ片が設けられたのとは反対側の側縁に近接しており、
前記底板部の前記かしめ片が設けられている側と反対側の側縁には、前記底板部に載置された前記電線が延びる方向と交差する方向に延び、かつ前記かしめ片よりも短い補助片が設けられており、
前記電線が前記かしめ片にかしめられた状態で、前記かしめ片の端部と前記補助片の端部が重なり合っており、
前記溶接部の端面と前記補助片の端面とが平板状に展開された状態で面一となっている端子。
【発明の詳細な説明】
【技術分野】
【０００１】
本発明は、端子付き電線及び端子に関する。
【背景技術】
【０００２】
一般的に、端子は電線の端末に接続される際に、電線の芯線と電気的に接続される部分と、芯線が被覆に覆われた部分を保持する部分が設けられている。芯線が被覆に覆われた部分を保持する部分は、電線にかかる力が、芯線との接続部分にかかるのを抑制する役割を果たす一方で、電線の絶縁被覆を傷つけにくいように工夫されている。例えば、特開２０１３−４４０６号公報に開示された従来の端子は、芯線が溶接される部分と、絶縁被覆の外周を両側から包み込むようにかしめられるインシュレーションバレルとを備えている。そして、インシュレーションバレルは、全体として電線の外周よりも長くなるように冗長部分が設けられており、冗長部分を設けることで絶縁被覆にかかる力を調整して、電線を保持する力を確保しつつ、絶縁被覆を傷つけにくくしている。
【先行技術文献】
【特許文献】
【０００３】
【特許文献１】特開２０１３−４４０６号公報
【発明の概要】
【発明が解決しようとする課題】
【０００４】
しかしながら、特開２０１３−４４０６号公報（上記特許文献１）に記載の従来の端子では、インシュレーションバレルは端子の軸線方向に直交する方向（幅方向）の両側に延びているため、板材から端子を打ち抜く際の幅方向の寸法（展開長）が大きくなる。そのため、端子の形状によっては、インシュレーションバレルの展開長が最も大きくなる。つまり、両方向に延びるインシュレーションバレルの展開長の大きさが、端子の歩留まり悪化の要因、つまりコストアップの要因となっていた。
【課題を解決するための手段】
【０００５】
本明細書で開示される端子付き電線は、芯線の外周が絶縁被覆で包囲された電線の端部から露出した前記芯線に端子が接続された端子付き電線であって、前記端子は、前記芯線が溶接された平板状の溶接部と、前記溶接部に連なると共に前記電線の前記絶縁被覆が載置された底板部と、前記底板部の一方の側縁から、前記底板部に載置された前記電線が延びる方向と交差する方向に延びるかしめ片と、を備え、前記かしめ片が前記電線の前記絶縁被覆の外周に巻き付くようにかしめられた状態で、前記かしめ片の先端縁が、前記電線の中心を通り前記底板部と垂直な第１仮想面よりも前記底板部側に位置し、前記底板部における前記かしめ片が設けられている側とは反対側の側縁に近接する。
【０００６】
このような構成によると、電線の絶縁被覆に巻き付くようにかしめられるかしめ片が底板部の一方の側縁から延びるように設けられている。そのため、底板部の両方向の側縁からかしめ片が延びる場合に比べて、かしめ片の展開長を短くすることができる。また、かしめ片の先端縁が、電線の中心を通り底板部と垂直になる第１仮想面よりも底板部側に位置し、かつ底板部の反対側の側縁に近接するまで絶縁被覆の外周を包み込んでいる。つまり、底板部とかしめ片によって電線の外周の２分の１以上に巻き付いているため、電線に対する保持力を確保することができる。
【０００７】
本明細書に開示される端子付き電線の実施の態様として、以下の構成としてもよい。
前記かしめ片が前記電線の前記絶縁被覆の外周に巻き付くようにかしめられた状態で、前記かしめ片の先端縁が、前記電線の中心を通り前記底板部と平行になる第２仮想面よりも前記底板部側に位置し、前記底板部における前記かしめ片が設けられている側とは反対側の側縁に近接する構成としても良い。
【０００８】
このような構成によると、かしめ片の先端縁が、電線の中心を通り底板部と平行になる仮想面よりも底板部側に位置し、かつ底板部の反対側の側縁に近接するまで絶縁被覆の外周を包み込んでいる。つまり、底板部とかしめ片によって電線の外周の４分の３以上に巻き付いているため、電線に対する保持力をさらに確保することができる。
【０００９】
前記電線が前記かしめ片にかしめられた状態で、前記かしめ片の端面が前記底板部に突き当てられる構成としても良い。
【００１０】
このような構成では、かしめ片が電線の外周を覆って底板部に突き当てられているため、電線を保持する力を向上することができる。また、底板部から延びるのがかしめ片だけのため、展開長を短くすることができる。
【００１１】
前記底板部の前記かしめ片が設けられている側と反対側の側縁には、前記底板部に載置された前記電線が延びる方向と交差する方向に延び、かつ前記かしめ片よりも短い補助片が設けられており、前記電線が前記かしめ片にかしめられた状態で、前記かしめ片の端部と前記補助片の端部が重なり合う構成としても良い。
【００１２】
このような構成では、かしめ片の端部と補助片の端部が重なり合うために、保持力を向上することができる。また、底板部に対して両方向にかしめ片と補助片が延びているため、電線を底板部に載置する際に、電線の位置決めが可能になる。一方、補助片はかしめ片に比べて短いため、従来のように両方向の側縁から均等にかしめ片が延びている場合に比べて、展開長を短くすることができる。
【００１３】
前記溶接部の端面と前記底板部の端面とが平板状に展開された状態で面一となっている構成としても良い。
【００１４】
このような構成では、溶接部の端面と底板部の端面とが面一となっていることから、幅方向の位置が少なくとも一方は揃うため、歩留まりを向上することができる。
【００１５】
前記溶接部の端面と前記補助片の端面とが平板状に展開された状態で面一となっている構成としても良い。
【００１６】
このような構成では、溶接部の端面と補助片の端面とが面一となっていることから、幅方向の位置が少なくとも一方は揃うため、歩留まりを向上することができる。
【００１７】
また、本明細書で開示される端子は、電線の芯線が溶接される平板状の溶接部と、前記溶接部に連なると共に前記電線の絶縁被覆で包囲された部分が載置される底板部と、前記底板部の一方の側縁から、前記底板部に載置された前記電線が延びる方向と交差する方向に延びるかしめ片と、を備え、前記かしめ片が前記電線の外周に巻き付くようにかしめられた状態で、前記かしめ片の先端縁が、前記溶接部と直交する方向とは異なる方向に延びており、かつ前記底板部における前記かしめ片が設けられたのとは反対側の側縁に近接する。
【００１８】
本明細書に開示される端子の実施の態様として、以下の構成としてもよい。
前記電線が前記かしめ片にかしめられた状態で、前記かしめ片の端面が前記底板部に突き当てられる構成としても良い。
【００１９】
前記底板部の前記かしめ片が設けられている側と反対側の側縁には、前記底板部に載置された前記電線が延びる方向と交差する方向に延び、かつ前記かしめ片よりも短い補助片が設けられており、前記電線が前記かしめ片にかしめられた状態で、前記かしめ片の端部と前記補助片の端部が重なり合う構成としても良い。
【００２０】
前記溶接部の端面と前記底板部の端面とが平板状に展開された状態で面一となっている構成としても良い。
【００２１】
前記溶接部の端面と前記補助片の端面とが平板状に展開された状態で面一となっている構成としても良い。
【発明の効果】
【００２２】
本明細書に開示される端子付き電線及び端子によれば、端子が電線をかしめる部分の展開長を短くすることができる。
【図面の簡単な説明】
【００２３】
【図１】実施形態１にかかる端子付き電線の斜視図
【図２】端子付き電線の平面図
【図３】図２におけるＩＩＩ−ＩＩＩ位置での断面図
【図４】端子付き電線の右側面図
【図５】端子付き電線の左側面図
【図６】端子の平面展開図
【図７】かしめ片をかしめる前の状態の背面図
【図８】実施形態２にかかる端子付き電線の斜視図
【図９】端子付き電線の平面図
【図１０】図９におけるＸ−Ｘ位置での断面図
【図１１】端子付き電線の右側面図
【図１２】端子付き電線の左側面図
【図１３】端子の平面展開図
【００２４】
＜実施形態１＞
実施形態１を図１から図７の図面を参照しながら説明する。
本実施形態の端子付き電線１０は、図１及び図２に示すように、電線２０と、この電線２０の端末に接続された端子３０とを備えている。以下の説明では、上下方向については、Ｚ方向を上方とし、左右方向については、Ｘ方向を右方とし、前後方向については、Ｙ方向を前方とする。
【００２５】
電線２０は、図２に示すように、導電性の金属素線からなる芯線２１の外周を絶縁被覆２３で包囲した構成である。電線２０は、信号線などに用いられる細線と呼ばれるもので、その外径が細いものとなっている。また、電線２０は、その前端部において、絶縁被覆２３が皮剥ぎされることで、芯線２１が露出されている。そして、電線２０は、前後方向に延びるように端子３０に載置されている。
【００２６】
端子３０は、導電性の金属板材をプレス加工後、折り曲げ加工して形成される。端子３０は、図１に示すように、電線２０の芯線２１が溶接される溶接部３１と、電線２０をかしめるかしめ部４０と、溶接部３１とかしめ部４０とを繋ぐ首部３５とを備えている。
【００２７】
溶接部３１は、図１及び図２に示すように、平面視矩形状となっており、前後方向の寸法が幅方向の寸法よりも長くなっている。そして、露出された芯線２１は、溶接部３１の左右方向（幅方向）の右半分に溶接されている。つまり、芯線２１は、溶接部３１の幅方向の一方に偏った位置に溶接されている。
【００２８】
首部３５は、図１に示すように、溶接部３１の後端から後方に延びて形成されている。首部３５の右端位置は、溶接部３１の右端面３１Ａよりも左側に位置している。つまり、首部３５は、溶接部３１よりも幅方向中央側（内側）に入りこんでいる。また、首部３５の左端位置は、溶接部３１の幅方向の中央位置よりも右側に位置している。つまり、首部３５は、溶接部３１の一方（右側）に偏った位置から後方に延びている。また、首部３５の幅方向の寸法は、電線２０の最大外径寸法とほぼ同じか若干小さくなっている。
【００２９】
かしめ部４０は、図１及び図７に示すように、底板部４１と、かしめ片４３と、補助片４５とを備えている。底板部４１は、溶接部３１から首部３５を介して連なっており、電線２０の絶縁被覆２３が載置されている。底板部４１の幅方向の寸法は、首部３５の幅方向の寸法よりも小さくなっている。そのため、首部３５の後端部は、底板部４１と等幅になるようにその両側端部が若干かしめ片４３及び補助片４５に連なるように曲げられている。
【００３０】
かしめ片４３は、図７に示すように、底板部４１の一方（左側）の側縁から、電線２０が延びる方向（前後方向）と交差する方向に延びるように設けられている。図３に示すように、このかしめ片４３は、電線２０の絶縁被覆２３の外周に巻き付くようにかしめられている。かしめ片４３の幅寸法は、電線２０の外周の約４分の３に巻き付く程度の寸法となっている。また、曲げ加工前（展開状態）でのかしめ片４３の左端位置は、図６に示すように、溶接部３１の左端位置よりも若干左側に突出している。
【００３１】
補助片４５は、図１及び図７に示すように、底板部４１のかしめ片４３が設けられている側とは反対側（右側）の側縁から、電線２０が延びる方向（前後方向）と交差する方向に延びるように設けられている。具体的には、補助片４５は、電線２０の絶縁被覆２３の外周に巻き付きつつ、かしめ片４３の内側に入りこむようにかしめられている。補助片４５の幅寸法は、電線２０の外周の約４分の１に巻き付く程度の寸法よりも短くなっている。そして、補助片４５は、図６及び図７に示すように、首部３５よりも右側に設けられており、補助片４５の幅寸法は、展開状態において、首部３５が溶接部３１よりも左側に入りこんだ寸法に底板部４１が首部３５よりも小さい分の寸法を加えた寸法となっている。また、展開状態において、補助片４５の右端面４５Ａは、溶接部３１の右端面３１Ａと面一になっている。
【００３２】
図３に示すように、かしめ部４０が電線２０の外周に巻き付いた状態について説明する。ここで、電線２０の径方向の中心Ｏを通り底板部４１に垂直な仮想的な平面を第１仮想面Ｐ１とし、電線２０の径方向の中心Ｏを通り底板部４１に平行な仮想的な平面を第２仮想面Ｐ２とする。かしめ部４０が電線２０の外周に巻き付いた状態では、かしめ片４３の先端縁４３Ａが、第１仮想面Ｐ１を通過して、第２仮想面Ｐ２よりも下側（底板部４１側）に位置し、底板部４１におけるかしめ片４３が設けられている側とは反対側（右側）の側縁に近接している。一方、補助片４５の先端縁（右端面４５Ａ）は、第２仮想面Ｐ２よりも下側に位置しつつ、かしめ片４３よりも左側（電線２０側）に入りこんでいる。つまり、かしめ片４３の端部は、補助片４５の端部にオーバーラップするように重なり合っており、その重なり合う位置は、第２仮想面Ｐ２よりも下側に位置している。
【００３３】
本実施形態の端子付き電線１０及び端子３０は、以上のような構成であって、続いてその組み付け方法及び作用を説明する。
まず、電線２０の端部において、絶縁被覆２３を皮剥ぎする。この際に、溶接部３１の前後方向の寸法よりも若干短くなる程度に芯線２１を露出させる。
【００３４】
一方で、導電性の金属板材をプレス加工することで、図６に示すように、端子３０を打ち抜く。この際に、かしめ片４３の先端縁４３Ａ（左端位置）は、溶接部３１の左端位置よりも左側に突出しているが、底板部に対して両方向に同じ長さのかしめ片を設けているものに比べれば、その突出寸法（幅方向の寸法は小さくなっている。つまり、底板部の両方向の側縁から均等にかしめ片が延びる場合に比べて、かしめ片４３の展開長（幅方向の寸法）を短くすることができ、歩留まりを向上させることができる。また、溶接部３１の右端面３１Ａと、補助片４５の右端面４５Ａとが面一となっている。そのため、少なくとも右側の端面は揃っていることから、歩留まりの更なる向上につながる。
【００３５】
次に、図７に示すように、端子３０を曲げ加工する。かしめ片４３と補助片４５が底板部４１から斜め上方向に立ち上がって、左右方向で長さの違うＵ字状に曲げ加工される。そして、電線２０を端子３０に載置する。電線２０の芯線２１が前後方向に延びる状態で、露出した芯線２１を溶接部３１の右半分に配置し、電線２０の絶縁被覆２３の端末をかしめ部４０に配置する。そして、溶接部３１に対して芯線２１を超音波溶接する。この際に、電線２０がかしめ片４３と補助片４５によって底板部４１内に位置決めされるため、芯線２１が移動せずに超音波溶接の作業が行いやすくなる。
【００３６】
そして、かしめ部４０を電線２０の外周に巻き付けるようにしてかしめる。この際に、補助片４５を電線２０の外形に沿うようにかしめる一方で、かしめ片４３先端縁４３Ａが、第１仮想面Ｐ１を通過して、第２仮想面Ｐ２よりも下側（底板部４１側）であって、底板部４１におけるかしめ片４３が設けられている側とは反対側（右側）の側縁に近接するようにかしめる。つまり、かしめ片４３の先端縁４３Ａが、溶接部３１と直交する方向（上下方向）とは異なる方向に延びており、かつ底板部４１におけるかしめ片４３が設けられたのとは反対側（右側）の側縁に近接している。そして、かしめ片４３の端部が補助片４５の端部に第２仮想面Ｐ２よりも下側でオーバーラップするように、かしめ片４３がかしめられる。このように、保持力を確保するためにしっかりと絶縁被覆２３と密着する第２仮想面Ｐ２よりも上側ではなく、電線２０との間に若干の隙間が生じている第２仮想面Ｐ２より下側で重なり合ってかしめられているために、電線２０の絶縁被覆２３を傷つけにくくなっている。また、電線２０の外周をかしめ部４０が覆っているために、片持ち状のかしめ片４３であっても電線２０への保持力を十分に確保することができる。
【００３７】
以上のように、実施形態１の端子付き電線１０では、補助片４５はかしめ片４３に比べて短いため、従来のように底板部の両方向の側縁から均等にかしめ片が延びている場合に比べて、展開状態での幅方向の寸法（展開長）を短くすることができ、歩留まりを向上できる。
【００３８】
また、本実施形態においては、かしめ片４３の先端縁が、電線２０の中心を通り底板部４１と垂直になる第１仮想面Ｐ１よりも底板部４１側に位置し、かつ底板部４１の反対側の側縁に近接するまで絶縁被覆２３の外周を包み込んでいる。つまり、底板部４１とかしめ片４３によって電線２０の外周の２分の１以上に巻き付いているため、電線２０に対する保持力を確保することができる。特に、溶接部３１の板面に垂直な方向に電線２０を引きはがす力が電線２０に加えられた場合において、上記のかしめ片４３によって、電線２０は底板部４１と垂直な方向から押さえられている。これにより、芯線２１と溶接部３１とが溶接（超音波溶接）されている場合に、芯線２１と溶接部３１とが剥離することが抑制される。
【００３９】
更に、本実施形態においては、かしめ片４３の先端縁が、電線２０の中心を通り底板部４１と平行になる第２仮想面Ｐ２よりも底板部４１側に位置し、かつ底板部４１の反対側の側縁に近接するまで絶縁被覆２３の外周を包み込んでいる。つまり、底板部４１とかしめ片４３によって電線２０の外周の４分の３以上に巻き付いているため、電線２０に対する保持力をさらに確保することができる。
【００４０】
さらに、かしめ片４３の端部と補助片４５の端部が重なり合うために、電線２０への保持力を十分に確保できる。
【００４１】
また、溶接部３１の右端面３１Ａと補助片４５の右端面４５Ａとが平板状に展開された状態で面一となっているため、歩留まりをさらに向上できる。
【００４２】
また、底板部４１に対して両方向にかしめ片４３と補助片４５が延びているため、電線２０を底板部４１に載置する際に、電線２０の位置決めが可能になる。
【００４３】
＜実施形態２＞
次に、実施形態２を図８から図１３によって説明する。
実施形態２の端子付き電線１１０では、かしめ部１４０の形状が、実施形態１とは相違する。なお、実施形態１と同一機能を有する部材、部位については、同一の符号を付すことで、説明を省略しまたは簡略化する。また、上下左右前後方向については、実施形態１と同じ方向とする。
【００４４】
端子付き電線１１０は、電線２０と端子１３０とを備えている。端子１３０は、導電性の金属板材をプレス加工後、折り曲げ加工して形成される。端子１３０は、図８に示すように、電線２０の芯線２１が溶接される溶接部３１と、電線２０をかしめるかしめ部１４０と、溶接部３１とかしめ部１４０とを繋ぐ首部１３５とを備えている。
【００４５】
首部１３５は、図８に示すように、溶接部３１の後端から後方に延びることで形成されている。首部１３５の右端位置は、溶接部３１の右端面３１Ａと面一で、かしめ部１４０の底板部１４１の右端面１４１Ａとも面一になっている。また、首部１３５の幅方向の寸法は、電線２０の最大外径寸法とほぼ同じか若干小さくなっている。また、首部１３５及びそれに連なるかしめ部１４０の位置によって電線２０の位置が決まっており、電線２０の芯線２１は溶接部３１の右端部に熔接されている。
【００４６】
かしめ部１４０は、図８及び図１０に示すように、底板部１４１と、かしめ片１４３とを備えている。底板部１４１は、溶接部３１から首部１３５を介して連なっており、電線２０の絶縁被覆２３が載置されている。底板部１４１は、左端部がかしめ片１４３に連なるようになっている一方で、右端部の上面は、かしめ片１４３の突き当て面１４３Ｂが突き当てられる被突き当て面１４７となっている。
【００４７】
かしめ片１４３は、図８及び図１０に示すように、底板部１４１の一方（左側）の側縁から、電線２０が延びる方向（前後方向）と交差する方向に延びるように設けられている。具体的には、かしめ片１４３は、電線２０の絶縁被覆２３の外周に巻き付くようにかしめられている。かしめ片１４３の幅寸法は、電線２０の外周に巻き付いた後に底板部１４１の被突き当て面１４７に突き当て面１４３Ｂが突き当たる程度の寸法となっている。また、曲げ加工前（展開状態）でのかしめ片１４３の左端位置は、図１３に示すように、溶接部３１の左端位置と同じになっている。
【００４８】
図１０に示すように、かしめ部１４０が電線２０の外周に巻き付いた状態について説明する。かしめ部１４０が電線２０の外周に巻き付いた状態では、かしめ片１４３の先端縁１４３Ａが、第１仮想面Ｐ１を通過して、第２仮想面Ｐ２よりも下側（底板部１４１側）に位置し、底板部１４１におけるかしめ片１４３が設けられている側とは反対側（右側）の側縁部の上面である被突き当て面１４７にかしめ片１４３の突き当て面１４３Ｂが突き当たっている。つまり、かしめ片１４３の先端縁１４３Ａが、溶接部３１と直交する方向（上下方向）とは異なる方向に延びており、かつ底板部１４１におけるかしめ片１４３が設けられたのとは反対側（右側）の側縁に近接して、底板部１４１の被突き当て面１４７に突き当たっている。
【００４９】
本実施形態の端子付き電線１１０及び端子１３０は、以上のような構成であって、続いてその組み付け方法及び作用を説明する。
導電性の金属板材をプレス加工することで、図１３に示すように、端子１３０を打ち抜く。この際に、かしめ片１４３の先端縁４３Ａ（左端位置）は、溶接部３１の左端位置と同じでとなっており、かしめ片１４３の展開長（幅方向の寸法）を短くすることができ、歩留まりを向上させることができる。また、溶接部３１の右端面３１Ａと、首部１３５の右端面と底板部の右端面１４１Ａとが面一となっている。そのため、少なくとも右側の端面は揃っていることから、歩留まりの更なる向上につながる。
【００５０】
次に、端子１３０を曲げ加工する。かしめ片１４３が底板部１４１から斜め左上方向に立ち上がるように曲げ加工される。そして、電線２０を端子１３０に載置する。電線２０の芯線２１が前後方向に延びる状態で、露出した芯線２１を溶接部３１の右端部に配置し、電線２０の絶縁被覆２３の端末をかしめ部１４０の底板部１４１に配置する。そして、溶接部３１に対して芯線２１を超音波溶接する。
【００５１】
そして、かしめ部１４０を電線２０の外周に巻き付けるようにしてかしめる。かしめ片１４３先端縁１４３Ａが、第１仮想面Ｐ１を通過して、第２仮想面Ｐ２よりも下側（底板部１４１側）であって、底板部１４１におけるかしめ片１４３が設けられている側とは反対側（右側）の側縁部の上面である被突き当て面１４７にかしめ片１４３の突き当て面１４３Ｂが突き当たるようにかしめる。このように、かしめられたかしめ片１４３の端面（突き当て面１４３Ｂ）が被突き当て面１４７に突き当たっていることから、端面の角などによって電線２０の絶縁被覆２３を傷つけにくくなっている。また、電線２０の外周をかしめ部１４０が覆っているために、片持ち状のかしめ片１４３であっても電線２０への保持力を十分に確保することができる。
【００５２】
以上のように、本実施形態の端子付き電線１０では、底板部１４１から延びるのがかしめ片１４３だけのため、展開状態での幅方向の寸法（展開長）を短くすることができ、歩留まりを向上できる。
【００５３】
また、溶接部３１の右端面３１Ａと底板部１４１の右端面１４１Ａとが平板状に展開された状態で面一となっており、溶接部３１の幅寸法内でかしめ部１４０の展開長が収まっているため、歩留まりをさらに向上できる。
【００５４】
一方で、かしめ片１４３の端面（突き当て面１４３Ｂ）が底板部１４１の被突き当て面１４７に突き当たっているために、電線２０への保持力を十分に確保できる。
【００５５】
＜他の実施形態＞
本明細書によって開示される技術は上記記述及び図面によって説明した実施形態に限定されるものではなく、例えば次のような種々の態様も含まれる。
（１）上記実施形態１及び２では、かしめ片４３、１４３の先端縁４３Ａ、１４３Ａは第２仮想面Ｐ２より下側に位置していたが、第１仮想面Ｐ１を通過してれば第２仮想面Ｐ２に至っていなくても良い。
【００５６】
（２）上記実施形態１、２では、かしめ部４０、１４０は電線２０の外周をすべて囲うようにかしめ片４３、１４３が巻き付いていたが、かしめ片４３、１４３と補助片４５もしくは底板部１４１との間に隙間があいていても良い。
【００５７】
（３）上記実施形態１、２では、溶接部３１の右端面３１Ａと補助片４５の右端面４５Ａもしくは底板部１４１の右端面１４１Ａとが平板状に展開された状態で面一となっていたが、面一でなくても良い。
【００５８】
（４）上記実施形態１、２では、芯線２１は溶接部３１に超音波溶接によって溶接されていたが、抵抗溶接等他の方法で溶接されていても良い。
【００５９】
（５）上記実施形態１、２では、首部３５、１３５が設けられていたが、首部を設けずに溶接部３１に直接かしめ部４０、１４０の底板部４１、１４１が連節されていても良い。
【符号の説明】
【００６０】
１０、１１０：端子付き電線
２０：電線
２１：芯線
２３：絶縁被覆
３０、１３０：端子
３１：溶接部
３１Ａ：右端面
３５、１３５：首部
４０、１４０：かしめ部
４１、１４１：底板部
１４１Ａ：右端面
４３、１４３：かしめ片
４３Ａ、１４３Ａ：先端縁
１４３Ｂ：突き当て面
４５：補助片
４５Ａ：右端面
１４７：被突き当て面
Ｏ：電線の径方向の中心
Ｐ１：第１仮想面
Ｐ２：第２仮想面
【図１】
0006766437.tif 000002
【図２】
0006766437.tif 000003
【図３】
0006766437.tif 000004
【図４】
0006766437.tif 000005
【図５】
0006766437.tif 000006
【図６】
0006766437.tif 000007
【図７】
0006766437.tif 000008
【図８】
0006766437.tif 000009
【図９】
0006766437.tif 000010
【図１０】
0006766437.tif 000011
【図１１】
0006766437.tif 000012
【図１２】
0006766437.tif 000013
【図１３】
0006766437.tif 000014